(57)【要約】      （修正有）【課題】コンパクトな表示画面を有すると共に、該表示画面を触れることにより表示画面を切換えることができるタッチパネルを有するエレベータの操作盤装置を得る。【解決手段】この発明に係るエレベータの操作盤装置においては、エレベータのかご内又は乗場に設けられタッチスイッチ２及び表示画面３の二重構造からなるタッチパネル１と、タッチパネル１の表示画面３をかごの行先階を登録する呼び画面６及び暗証番号を入力する暗証番号入力画面とに切換える画面選択手段５とを備えたものである。【選択図】図１
2007168986.tif 000002
【特許請求の範囲】
【請求項１】
エレベータのかご内又は乗場に設けられタッチスイッチ及び表示画面の二重構造からなるタッチパネルと、
前記タッチパネルの表示画面をかごの行先階を登録する呼び画面及び暗証番号を入力する暗証番号入力画面とに切換える画面選択手段と、
を備えたことを特徴とするエレベータの操作盤装置。
【請求項２】
呼び画面に備わる特定者のみが使用する行先階のかご呼び釦を押すと暗証番号入力画面に切換ることを特徴とする請求項１記載のエレベータの操作盤装置。
【発明の詳細な説明】
【技術分野】
【０００１】
この発明は、エレベータの操作盤装置に備わるタッチパネルに関するものである。
【背景技術】
【０００２】
従来のエレベータの操作盤装置においては特定者に必要な運転機能をタッチ入力によって表示するタッチパネルと、このタッチパネルに表示された画像を入によって切換え切によってサービス情報に切換えるスイッチと、前記タッチパネルに表示される表示画像を制御する表示制御部と、前記タッチパネルの表示面からタッチ式で入力されるデータを読み取る入力部と、この入力部で読み取った前記データを制御するデータ制御部を備えたものがある（例えば、特許文献１参照）。
【０００３】
【特許文献１】特開平７−２１５６０１号公報
【発明の開示】
【発明が解決しようとする課題】
【０００４】
従来のエレベータの操作盤装置においては、タッチパネルに表示された画像を入によって切換え切によってサービス情報に切換えるスイッチを設けている。またタッチパネルの画像表示部は標準的に用いられるかご呼び指令を登録する表示画面を設けていないため、タッチパネルとかご呼び釦は別に設けなくてはならず、かご又は操作盤が大型化するという問題点があった。
【０００５】
この発明は、上述のような課題を解決するためになされたもので、コンパクトな表示画面を有すると共に、該表示画面を触れることにより表示画面が切換えることができるタッチパネルを有するエレベータの操作盤装置を提供するものである。
【課題を解決するための手段】
【０００６】
この発明に係るエレベータの操作盤装置においては、エレベータのかご内又は乗場に設けられタッチスイッチ及び表示画面の二重構造からなるタッチパネルと、タッチパネルの表示画面をかごの行先階を登録する呼び画面及び暗証番号を入力する暗証番号入力画面とに切換える画面選択手段とを備えたものである。
【発明の効果】
【０００７】
この発明により、かご呼び指令、及びタッチパネルの表示画面の切換を該タッチパネルの表示画面上のみで行うことができる。
【発明を実施するための最良の形態】
【０００８】
実施の形態１． 
図1はこの発明の実施の形態1のエレベータの操作盤装置に備わるタッチパネルの行先階を登録する呼び画面を示す正面図、図２はタッチパネルの暗証番号入力画面を示す図１相当図、図３はこの発明の実施の形態１におけるエレベータの操作盤装置のかご行先階を登録をするためのフローチャートである。
図において１はエレベータかご内の操作盤装置に設けられたタッチパネルでタッチスイッチ２及びディスプレイ３からなる表示画面の二重構造となっている。タッチスイッチ２はタッチパネルの表面側をなし、材質が透明なＰＥＴフィルムからなる上部電極、及び下部電極を貼り合わせたものであり、上部電極を指で押すとこの位置が検出される。ディスプレイ３はタッチパネル１の裏面側をなし、ＬＣＤが用いられている。ディスプレイ３のＬＣＤは２個の偏向板の間に施光性を有する液晶セルを介在させたものであり、このＬＣＤに電解を印加すると前記施光性が消失するという現象を利用して光の明暗に変えているものである（通常は数字表示されない）。ディスプレイ制御部５の指示に基づいて電界を印加すると各階の数字が表示される。
４はタッチスイッチ２の位置検出信号が入力されるタッチスイッチ制御部、５はタッチスイッチ制御部４からの情報等によりディスプレイ３に電界の印加を指示し、該ディスプレイ３を複数の表示画面に切換るディスプレイ制御部からなる画面選択手段である。
【０００９】
以下はこの発明の特徴となるディスプレイ３の表示画面である。
６はディスプレイ制御部５によりディスプレイ３に印可されたかご行先階を登録する呼び画面である（図１参照）。ここでこのエレベータの操作盤装置が備わるビルが四階建てであるとする。呼び画面６には、それぞれの行先階を登録する一階かご呼び釦７、二階かご呼び釦８、三階かご呼び釦９、及び四階かご呼び釦１０とかごの上昇方向ランプ１１、及びかごの下降方向ランプ１２が表示される。１３はディスプレイ制御部５によりディスプレイ３に印可された暗証番号の入力を要求する暗証番号入力画面である（図２参照）。
ここで呼び画面６上の特定の行先階のかご呼び釦が押されると該かごの行先階を登録する前にディスプレイ制御部５はディスプレイ３を暗証番号入力画面１３へ切換える。
【００１０】
次にこのエレベータの操作盤装置においてかご行先階を登録するための動作フローについて図３を用いて説明する。ここで例として一階から三階までは住居者以外も利用可能な階で、四階を特定者である住居者のみが利用可能な階とする。
まず呼び画面６が表示される（ステップＳ１）。次に呼び画面６の一階かご呼び釦７、二階かご呼び釦８、及び三階かご呼び釦９を押した場合（ステップＳ２）、呼び画面６は切換らず（ステップＳ３）行先階はそのまま登録される（ステップＳ４）。四階行き登録釦１０を押したとき、暗証番号入力画面１３に切換わる（ステップＳ５）。次に暗証番号入力画面１３にあらかじめ決められている暗証番号を入力すると（ステップＳ６）四階行きの登録は完了する（ステップＳ３）。暗証番号を入力しない、または暗証番号があらかじめ決められた番号と異なる場合（ステップＳ６）、四階への行先階登録は実施されない。
これによってマンションの非住居者のエレベータ利用を制限することにより、そのマンションの保安を確保することができる。
【００１１】
上述のように構成されたエレベータの制御盤装置によれば、標準的にはタッチパネルとは別に設けられるかご呼び釦をタッチパネル内の一表示画面に設けたため操作盤を小型化できる。
【００１２】
またタッチパネルの一表示画面内の所定箇所を触れることにより特定者のみが使用する他の表示画面に切換るようにしたため、タッチパネル外に切換え釦等を設ける必要がなくなり、エレベータの制御盤装置を小型化することができる。
【図面の簡単な説明】
【００１３】
【図１】この発明の実施の形態1のエレベータの制御盤装置に備わるタッチパネルの行先階を登録する呼び画面を示す正面図である。
【図２】タッチパネルの暗証番号入力画面を示す図１相当図である。
【図３】この発明の実施の形態１におけるエレベータの操作盤装置のかご呼び登録をするためのフローチャートである。
【符号の説明】
【００１４】
１  タッチパネル
２  タッチスイッチ
３  ディスプレイ
４  タッチスイッチ制御部
５  ディスプレイ制御部
６  呼び画面
７  一階かご呼び釦
８  二階かご呼び釦
９  三階かご呼び釦
１０  四階かご呼び釦
１１  かごの上昇方向ランプ
１２  かごの下降方向ランプ
１３  暗証番号入力画面
【図１】
2007168986.tif 000003
【図２】
2007168986.tif 000004
【図３】
2007168986.tif 000005